(57)【要約】【課題】従来のプラズマディスプレイ装置は、電極の抵抗分と電極間容量により形成される積分回路により、各画素に印加する維持放電電圧波形の高周波成分が減衰され、所望の電圧波形が印加されないという課題がある。【解決手段】本発明では、上記課題を解決するために、前記ＸおよびＹ電極３の少なくとも一方について個々の該電極両端を接続する複数本の接続配線４を、前面基板１の映像が表示される側に設ける。【選択図】  図１
2005005170.tif 000002
【特許請求の範囲】
【請求項１】
前面基板と、背面基板と、前記前面基板において互いに平行な複数の維持放電用のＸ電極、維持・走査放電用のＹ電極と、前記背面基板に前記Ｘ、Ｙ両電極と直交配置された複数のアドレス電極とを備えてなるプラズマディスプレイパネルを有するプラズマディスプレイ装置において、
前記Ｘ電極またはＹ電極の少なくとも一方と前記プラズマディスプレイパネルの両端部で接続する複数本の接続配線を、前記前面基板の映像が表示される側に設けたことを特徴とするプラズマディスプレイ装置。
【請求項２】
前記接続配線を前記前面基板の前側に配置される部材に設けたことを特徴とする請求項１記載のプラズマディスプレイ装置。
【請求項３】
前記接続配線は、前記前面基板の内面側のＸまたはＹ電極に対し、前記前面基板断面の中心線の線対称となる前記前面基板の外面側または前面パネルの対応する位置に配置したことを特徴とする請求項１または２記載のプラズマディスプレイ装置。
【請求項４】
前記接続配線は、ＣｕまたはＡｇを含む金属化合物若しくは金属箔から加工成形またはスクリーン印刷された配線であることを特徴とする請求項１記載のプラズマディスプレイ装置。
【発明の詳細な説明】
【０００１】
【発明の属する技術分野】
本発明は、プラズマディスプレイ装置に関し、特に電極配線構造の改善に関する。
【０００２】
【従来の技術】
ＡＣ駆動型プラズマディスプレイ装置（以下、プラズマディスプレイ装置）は、大画面で薄型の平面ディスプレイを実現でき、業務用、家庭用共に需要が高まっている。
【０００３】
従来のプラズマディスプレイ装置は、前面基板と背面基板で構成され、前面基板側に維持放電電極：Ｘ電極と維持・走査放電電極：Ｙ電極が設けられ、背面基板側にＹ電極との間で走査放電を行うアドレス電極、およびアドレス電極上に蛍光体が設けられた構造となっている。図２に、プラズマディスプレイ装置の概略構成を示す。
【０００４】
プラズマディスプレイ装置では、階調表示を放電回数で制御するサブフィールド駆動方式が一般的である。各サブフィールドは、リセット期間、アドレス期間、および維持放電期間から構成され、各々は次のような動作を行う。
リセット期間は、Ｘ、Ｙ電極間にリセットパルス電圧を印加して全画素で放電させ、直前のサブフィールドでの壁電荷を消去する。次のアドレス期間は、各Ｙ電極に順次に走査パルスを印加し、同時に映像表示内容に対応する画素のアドレス電極にアドレスパルス電圧を印加することにより、前記画素のＹ電極とアドレス電極間にアドレス放電を発生させて、壁電荷を蓄積させる。続く維持放電期間では、Ｘ電極とＹ電極間に維持放電パルス電圧を印加し、アドレス期間に壁電荷を蓄積した画素において維持放電を発生させ、その画素を点灯させる。
【０００５】
プラズマディスプレイ装置は、更なる需要拡大のため、大画面化、高輝度化および低コスト化が検討されており、特に液晶ディスプレイ等の他の平面ディスプレイ装置に対し、消費電力の低減およびコントラスト向上が性能上の大きな課題となっている。
【０００６】
消費電力の低減については、プラズマディスプレイ装置の消費電力の約６０％をプラズマディスプレイパネル（以下、パネル）の放電電力関連が占めており、パネルの発光効率の向上による低損失化が各方面から検討されている。
【０００７】
維持放電電圧波形による発光効率の向上策として、非特許文献１によれば、維持放電電圧波形の立上り時にパルス幅が非常に短く、波高値がより高いプライミングパルスを印加することが提案されている。また特許文献１では、前記提案の維持放電電圧波形を生成する駆動回路が提案されている。後者によるＸ−Ｙ電極間への印加される維持放電電圧波形の一例を図３のＶｘ−ｙ（実線で示す）に示す。図中のＶｐがプライミングパルス部であり、パルス幅は数百ｎｓである。
【０００８】
また、特許文献２に示されるように、表示パネル本体の映像表示される前面基板とは反対側の背面基板側に、各電極の両端部を接続する複数の配線を設け、等価的に電極の抵抗分を低減する方法がある。
【０００９】
【特許文献１】
特開２００１−１３９１９
【特許文献２】
特開２００３−５８０７４
【非特許文献１】
Ａ  Ｎｅｗ  Ｄｒｉｖｉｎｇ  Ｍｅｔｈｏｄ  ｆｏｒ  Ｖｅｒｔｉｃａｌ  Ｄｉｓｃｈａｒｇｅ  ＰＤＰ：ＩＤＷ（Ｉｎｔｅｒｎａｔｉｏｎａｌ  Ｄｉｓｐｌａｙ  Ｗｏｒｋｓｈｏｐｓ）‘９８、Ｙｏｓｈｉｆｕｍｉ  Ａｍａｎｏ，  Ｊｏｉｃｈｉ  Ｅｎｄｏ，  Ｂａｌａ  Ｋ．  Ｖｅｌａｙｕｄｈａｎ著
【００１０】
【発明が解決しようとする課題】
しかしながら、上記特許文献１や非特許文献１に記載のプラズマディスプレイ装置では、主として電極の抵抗分および静電容量により、各画素に印加される維持放電パルス電圧波形の高周波成分が減衰し、所望の電圧波形とならない。
【００１１】
図４を用いてこのことを説明する。図４は、前記Ｘ、Ｙ電極１組の抵抗分と各画素の静電容量からなる電気的な等価回路であり、前記抵抗分と静電容量の分布定数による積分回路としてあらわすことができる。
【００１２】
プラズマディスプレイ装置のＸ、Ｙ電極は各々複数の電極が略平行に配置されており、各電極はプラズマディスプレイ装置の大画面化に伴い、その電極長が長くなり、また高精細化に伴い、細くなる傾向にある。各電極は一般的にＩＴＯを用いた透明電極のような抵抗率の高い電極材料を用いる場合も、銀または銅の金属化合物を用いた抵抗率の低い材料からなるバス電極を併用し、電極抵抗は可能な限り低く抑えられているが、各電極１本当り通常数百Ω程度の値となる。
【００１３】
また、各画素の電気的等価回路は、Ｘ、Ｙおよびアドレス電極の各電極間で構成されるコンデンサとしてあらわされる。特に維持放電が行われるＸ、Ｙ電極間は、電極間距離が小さく、対向電極面積が大きいため、一般的に各Ｘ、Ｙ電極１組当り数百ｐＦ程度の値となる。なお図４の各コンデンサが各画素に対応する。図４のＸとＹ電極間に、図３のＶｘ−ｙに示すような維持放電電圧を印加した場合、各画素に印加される電圧波形は、電極抵抗分と電極間静電容量により積分され、高周波成分が減衰するため、波形立上り・立下りが遅延する。この遅延の程度は、電極長（抵抗分）および画素単位面積（静電容量）がディスプレイ対角長に比例するとした場合、概略抵抗分と静電容量の積に比例する、よってディスプレイ対角長の概略二乗に比例することになる。
【００１４】
図３の各画素に印加される電圧波形の一例をＶｃ（破線）に示す。Ｖｃに示されるように、特にプライミングパルスＶｐのような幅の狭いパルスは、立上り・立下りの遅延により、略三角波となり振幅も減少するため、所望の駆動波形とならない。
【００１５】
また電極の抵抗分は、映像内容による電極電流値の変動により、輝度が変動するという画質劣化の原因となることが知られている。図５にて上記画質劣化について説明する。
【００１６】
図５（ａ）に示すような映像をプラズマディスプレイ装置に表示させ、画面中央の白ウインドウの横方向寸法を変化させて、該ウインドウ中央部の輝度を測定し、縦軸を輝度、横軸を白ウインドウ横方向寸法と画面横方向寸法の比である表示率としてプロットすると、図５（ｂ）に示すような特性となる。
【００１７】
図５（ｂ）にて、電極の抵抗分が小さい場合は、表示率増加により電極電流値が増加しても、電極の抵抗分による電圧降下の増加は少なく、各画素への印加電圧の変動が少ないため、Ｃ１に示すように輝度変化も少ない。一方、電極の抵抗分が大きい場合は、Ｃ２に示すように輝度変化が大きくなる。以上より、電極の抵抗分が大きい場合、プラズマディスプレイ装置の各表示ラインごとの輝度が映像内容により大きく変化することになり、例えば白の輝度が表示ラインごとに異なるという現象が発生し、映像品位が劣化する。またサブフィールド駆動方式では、サブフィールドごとに表示率が異なる為、各サブフィールド間の輝度比が崩れ、階調表示の乱れの原因となる。
【００１８】
コントラストについては、他の平面ディスプレイに比較し、プラズマディスプレイ装置固有のリセットパルス等の映像表示に寄与しない放電発光によるコントラストの劣化について、各種軽減策が提案されている。
【００１９】
一方、前面板がガラス基材のため、外光が入射した場合、前面板外側表面と内側表面で反射されることになり、上記外光によるコントラストについても改善が必要とされている。
【００２０】
従来のプラズマディスプレイ装置は、電極の抵抗分と電極間容量により形成される積分回路により、各画素に印加する維持放電電圧波形の高周波成分が減衰され、所望の電圧波形が印加されないという課題がある。特にディスプレイパネルが大型化すると電極長・画素面積の増加に伴い、電極の抵抗分・電極間容量共に増加し、減衰がより顕著となる。
【００２１】
また電極の抵抗分は、映像表示率の増加に伴う輝度低下を引き起こし、映像品位を劣化させるため、この点からも低抵抗化が課題となっている。
【００２２】
前者の課題を回避する方法として、図６に示すように、各電極をパネルの両側から接続し、各電極用にそれぞれ２つの駆動回路を設け、パネルの両側から同時に駆動することにより等価的に電極の抵抗分を低減する方法があるが、駆動回路が２倍必要となりコストが大幅に上昇すること、および両側２つの駆動回路のわずかな動作タイミングや印加電圧のズレなどが消費電力の増大やドライバＬＳＩの発熱を引き起こすなどの課題が残る。
【００２３】
また、上記特許文献２においては、背面基板裏面はパネル放熱用の部材を取付けるスペースとして使用されており、放熱部材とパネルを密着させるなど熱伝導性の良い状態で取付ける必要があるため、配線を追加することは困難である。このため前記配線を設けるための専用部材を設けることになり、パネルとの電気的接続を含め構造の複雑化、およびコストの上昇を避けられない。
【００２４】
また前記いずれの方法も、プラズマディスプレイ装置の基本性能上の課題であるコントラストの向上については効果が得られない。
【００２５】
【課題を解決するための手段】
本発明では、上記課題を解決するために、前記Ｘ、Ｙ電極の少なくとも一方について個々の該電極両端を接続する複数本の接続配線を、前面基板の映像が表示される側に設ける。なお前記配線は、前面基板の前側に配置される前面パネルに設けてもよい。
【００２６】
また前記接続配線は、前面板内面側のＸまたはＹ電極に対し、前面板断面中心線に線対称となる前面板外面側または前面パネルの対応する位置に配置する。
本発明によれば、ＸまたはＹ電極の少なくとも一方を前面板両端部で接続配線と接続するため、該接続された電極の抵抗分を等価的に低減できる。
【００２７】
なお前記接続配線は、前面板に設けるため、接続配線を設ける新たな部材を必要とせず、またＸ、Ｙ電極と同様な材料で、且つパネル製造工程内で同様に形成できるため、軽微なコストで実現可能である。また前記接続配線は、前面板外面側または前面パネルの、ＸまたはＹ電極と重なるように配置することにより、映像品位を保ち、且つ照明などの外来光の前面板への入射量を低減出来るため、コントラストを向上できる。
【００２８】
【発明の実施の形態】
以下、図面を参照して本発明の実施形態の一例について説明する。図１は、本発明による実施形態の一例であるプラズマディスプレイ装置の概略を示す（ａ）断面図および（ｂ）外観図である。図１（ａ）において、１と２は共にガラス基板からなり互いに片面同士を近接して配置される前面板と背面板であり、以降この近接された面側を各々の内側、もう一方を外側と称する。３は前面板の内側表面に形成されたＸおよびＹ電極、４は本発明による前面板の外側表面に形成された接続配線、５は背面基板の内側表面に形成された隔壁、同様に６はアドレス電極、７はアドレス電極を覆うように形成された誘電体および蛍光体を示す。図示していないが、３のＸおよびＹ電極は共に透明電極ＩＴＯと抵抗値の低いバス電極からなり全体を誘電体で覆われている。また７の誘電体および蛍光体において蛍光体は誘電体の上側に位置する。なお以降において特に記載の無い場合、ＸおよびＹ電極はバス電極を意味するものとする。
【００２９】
図１（ａ）において、複数本からなるＸおよびＹ電極３は、前面板１の内側表面の両端部まで形成され、各電極個々の両端部同士を接続配線４により接続する。（材質）接続配線４の材質は導電性のものであれば特に限定しないが、より低抵抗の配線材料が好適である。またＸおよびＹ電極との接続を考慮すると、ＸおよびＹ電極と同様にＣｕまたはＡｇを含む金属化合物若しくは金属箔から加工成形またはスクリーン印刷された配線が好適である。更に低抵抗とするため、映像品位を劣化させない程度に電極厚さを厚くすることが望ましい。
【００３０】
前記接続配線を前面板の外側表面に設けることによるコントラストの向上について、以下に述べる。図１に示すように、前記接続配線４はプラズマディスプレイ装置正面から映像を見た場合、ＸおよびＹ電極３と重なる位置に配置される。ＸおよびＹ電極３（バス電極）は、各画素の放電光を妨げない位置に配置されており、よって該電極と重なるように配置された接続配線４も同様に放電光を妨げない。且つ、外来光の前面板への入射を一部阻止出来るため、外来光によるコントラスト劣化を低減可能となる。
【００３１】
なお前記接続配線４により、垂直方向の視野角が狭くなるが、これを回避する一案を図７に示す。図７は前面板１の鉛直方向の断面図であり、前面板１の内側表面にＸおよびＹ電極３、外側表面に接続配線４が重なるように配置されている。なお、５は各画素の放電光の軌跡、７は各電極のＩＴＯによる透明電極である。回避案は、図７に示すように各表示ライン位置に対応した前面板外側表面に、断面が凸レンズ状となるように外側表面に凹凸を設けることである。この凹凸は画素ごとに単独に設けても、表示ラインごとに蒲鉾状に設けても垂直方向の視野角の改善が可能である。
【００３２】
なお接続配線の電気的絶縁については、赤外線輻射や筐体不要輻射の防止などを目的とした前面パネルが、前面板の外側に取付けられることが一般的であり、該前面パネルにより絶縁が確保されるため、特に問題とならない。
【００３３】
前記接続配線４は、前記前面パネルや本発明を含むその他の目的で前面板の外側に取付けられる別の部材に設けることも本発明の実施形態の一例として考えられる。その他、本発明はその要旨を逸脱しない範囲で、種々変形して実施することが出来る。
【００３４】
以上のように、本発明によれば、維持放電用のＸ電極、維持・走査放電用のＹ電極の少なくとも一方とプラズマディスプレイ本体の両端部で接続する複数本の接続配線を、前面基板の映像が表示される側に設けることにより、該電極の抵抗分を低減出来るため、発光効率を向上させる維持放電電圧波形を歪少なく印加可能となり消費電力を低減すると共に、抵抗分による映像品位劣化を低減出来、且つ外光によるコントラストの劣化の低減を実現出来る。
【００３５】
【発明の効果】
本発明によれば、プラズマディスプレイの信頼性向上できる。
【図面の簡単な説明】
【図１】本発明の実施形態の一例に係わるプラズマディスプレイ装置を示す（ａ）断面図および（ｂ）外観図
【図２】従来のプラズマディスプレイ装置の概略構成を示すブロック図
【図３】発光効率を改善する維持放電電圧波形の一例を示す波形図
【図４】Ｘ、Ｙ電極１組分の電気的等価回路
【図５】横方向の表示率と輝度との関係を示す図
【図６】パネルの両側に駆動回路を設けたプラズマディスプレイ装置のブロック図
【図７】垂直方向視野角を改善する一案を示す前面板の鉛直方向断面図
【符号の説明】
１…前面板
２…背面板
３…ＸおよびＹ電極（バス電極）
４…接続配線
５…隔壁
６…アドレス電極
７…誘電体および蛍光体
８…画素の放電光
９…ＸおよびＹ電極（透明電極）
【図１】
2005005170.tif 000003
【図２】
2005005170.tif 000004
【図３】
2005005170.tif 000005
【図４】
2005005170.tif 000006
【図５】
2005005170.tif 000007
【図６】
2005005170.tif 000008
【図７】
2005005170.tif 000009